(57)【要約】【課題】  警告音を鳴動している際に、所定の相手先からの着信のみを報知する携帯電話装置を提供する。【解決手段】  Ｓ１ステップで＊キーが押下されると、Ｓ２ステップでブザーが鳴動開始されると共に、現在位置情報を算出し算出した位置情報を自動的にメールに添付し所定の宛先へ送信する（Ｓ３、Ｓ４ステップ）。ブザーの鳴動が継続されている状態で、所定の相手先からの着信があると着信音を鳴動させ（Ｓ８、Ｓ１０ステップ）、一方、所定の相手先以外からの着信があると着信音の鳴動を禁止させブザー鳴動を継続させる（Ｓ８、Ｓ９ステップ）。【選択図】  図３
2010288309.tif 000002
【特許請求の範囲】
【請求項１】
現在位置を算出する現在位置算出手段と、操作手段と、該操作手段からの操作に基づいて警告音を出力するブザーと、送受信手段と、所定のメール送信先と所定の通話相手先を記憶する記憶手段と、
前記操作手段の操作があると前記ブザーから警告音を出力させると共に、前記現在位置算出手段に現在位置を算出させ、算出された現在位置を前記送受信手段により前記所定のメール送信先に送信させ、前記警告音の出力中に、前記所定の通話相手先と異なる相手先からの着信があっても、着信報知しないように制御し、
前記警告音出力中に、前記所定の通話相手先からの着信があると、前記ブザーからの警告音の出力を停止させると共に着信を報知する為の着信音を最大音量で出力するように制御することを特徴とする携帯電話装置。
【請求項２】
操作手段と、該操作手段からの操作に基づいて警告音を出力するブザーと、所定の相手先を記憶する記憶手段と、
前記制御手段は、前記ブザーからの前記警告音出力中に、前記所定の相手先と異なる相手先からの着信があっても、着信音を出力しないように制御し、前記警告音出力中に、前記所定の通話相手先からの着信があると、前記ブザーからの警告音の出力を停止させると共に着信を報知する為の着信音を最大音量で出力するように制御することを特徴とする携帯電話装置。
【請求項３】
ユーザの操作があるとブザーから警告音を出力させる工程と、
現在位置を算出する工程と、
算出された現在位置を所定のメール送信先にメールにより送信させる工程と、
前記警告音の出力中に、所定の通話相手先と異なる相手先からの着信があっても、着信報知しないように制御する工程と、
前記警告音の出力中に、前記所定の通話相手先からの着信があると、前記ブザーからの警告音の出力を停止させると共に着信を報知する為の着信音を最大音量で出力する工程と、を備える警告方法。
【請求項４】
ユーザの操作があるとブザーから警告音を出力させる工程と、
前記ブザーからの前記警告音の出力中に、所定の相手先と異なる相手先からの着信があっても、着信音を出力しないように制御する工程と、
前記警告音の出力中に、前記所定の通話相手先からの着信があると、前記ブザーからの警告音の出力を停止させると共に着信を報知する為の着信音を最大音量で出力する工程と、
を備える警告方法。
【発明の詳細な説明】
【技術分野】
【０００１】
本発明は、ＧＰＳ（Ｇｌｏｂａｌ  Ｐｏｓｉｔｉｏｎｉｎｇ  Ｓｙｓｔｅｍ）機能や電子メール機能などを備えた携帯電話装置に関する。
【背景技術】
【０００２】
近年では、幼い子供の誘拐事件といった凶悪犯罪が増加しており、このような凶悪犯罪を防ぐ為に、催涙スプレーや防犯ブザーといったものが市販化されている。
又、緊急事態が生じた際に特定の相手先に緊急事態が生じた位置の情報を送信する技術が下記特許文献１に開示されている。
【先行技術文献】
【特許文献】
【０００３】
【特許文献１】特開平１０−５６５２２号公報
【発明の概要】
【発明が解決しようとする課題】
【０００４】
しかしながら、上記特許文献１に記載の技術では、ただ単に位置情報を送信するだけのものである為、防犯の観点から見れば効果的であるとは言い難い。
【課題を解決するための手段】
【０００５】
本発明はこのような課題を解決するものであり、ユーザがある特定の操作を行うと防犯ブザーが鳴動すると共に現在の位置情報を所定の宛先に自動的に送信することにより、より防犯効果のある携帯電話装置を提供するものである。又、防犯ブザーが鳴動している際には、所定の宛先からの着信のみ優先的に受け付けるようにしている。この為、防犯ブザーが鳴動している緊急時には、ユーザの両親や警察、警備会社等と連絡ができることを最優先にし、防犯或いは犯人逮捕をより促進させるものである。
【０００６】
本発明の第１の局面の携帯電話装置は、現在位置を算出する現在位置算出手段と、操作手段と、該操作手段からの操作に基づいて警告音を出力するブザーと、送受信手段と、所定のメール送信先と所定の通話相手先を記憶する記憶手段と、前記操作手段の操作があると前記ブザーから警告音を出力させると共に、前記現在位置算出手段に現在位置を算出させ、算出された現在位置を前記送受信手段により前記所定のメール送信先に送信させ、前記警告音の出力中に、前記所定の通話相手先と異なる相手先からの着信があっても、着信報知しないように制御することを特徴とする。
【０００７】
本発明の第２の局面の携帯電話装置は、現在位置を算出する現在位置算出手段と、操作手段と、該操作手段からの操作に基づいて警告音を出力するブザーと、送受信手段と、所定のメール送信先と所定の通話相手先を記憶する記憶手段と、前記操作手段の操作があると前記ブザーから警告音を出力させると共に、前記現在位置算出手段に現在位置を算出させ、算出された現在位置を前記送受信手段により前記所定のメール送信先に送信させ、前記警告音の出力中に、前記所定の通話相手先と異なる相手先からの着信があっても、着信拒否するように制御することを特徴とする。
【０００８】
本発明の第３の局面の携帯電話装置は、本発明の第１の局面又は第２の局面に記載の携帯電話装置であり、前記制御手段は、前記警告音出力中に、前記所定の通話相手先からの着信があると、前記ブザーからの警告音の出力を停止させると共に通話着信を報知する為の着信音を出力するように制御することを特徴とする。
【０００９】
本発明の第４の局面の携帯電話装置は、操作手段と、該操作手段からの操作に基づいて警告音を出力するブザーと、所定の相手先を記憶する記憶手段と、前記制御手段は、前記ブザーからの前記警告音出力中に、前記所定の相手先と異なる相手先からの着信があっても、着信音を出力しないように制御することを特徴とする。
【００１０】
本発明の第５の局面の携帯電話装置は、操作手段と、該操作手段からの操作に基づいて警告音を出力するブザーと、所定の相手先を記憶する記憶手段と、前記制御手段は、前記ブザーからの前記警告音出力中に、前記所定の相手先と異なる相手先からの着信があっても、着信音を拒否するように制御することを特徴とする。
【００１１】
本発明の第６の局面の携帯電話装置は、本発明の第４の局面又は第５の局面の携帯電話装置であり、前記制御手段は、前記警告音出力中に、前記所定の相手先からの着信があると、前記ブザーからの警告音の出力を停止させると共に着信報知を行うように制御することを特徴とする。
【００１２】
本発明の第７の局面の携帯電話装置は、現在位置を算出する現在位置算出手段と、操作手段と、該操作手段からの操作に基づいて警告音を出力するブザーと、送受信手段と、所定の相手先と所定の通話相手先を記憶する記憶手段と、前記操作手段の操作があると前記ブザーから警告音を出力させると共に、前記現在位置算出手段に現在位置を算出させ、算出された現在位置を前記送受信手段により前記所定の相手先に送信させる制御手段と、を有することを特徴とする。
【発明の効果】
【００１３】
本発明によれば、ユーザがある特定の操作を行うと防犯ブザーが鳴動すると共に現在の位置情報を所定の宛先に自動的に送信することにより、より防犯効果のある携帯電話装置を提供することができる。又、防犯ブザーが鳴動している際には、所定の宛先からの着信のみ優先的に受け付けるようにしている。この為、防犯ブザーが鳴動している緊急時には、ユーザの両親や警察、警備会社等と連絡ができることを最優先にし、防犯或いは犯人逮捕をより促進させることができる。
【００１４】
本発明の第１の局面によれば、警告音を鳴動させている際に特定の相手先と異なる相手先からの着信があると着信報知しないようにしているので、携帯電話のユーザが、緊急事態の際に間違い電話や必要でない相手先（例えば全く面識のない相手先や余り交流のない相手先）からの着信に応答するといったことを回避することが可能である。又、必要でない相手先からの着信のために警告音の鳴動を妨げられるといったことを回避することが可能である。
【００１５】
本発明の第２の局面によれば、警告音を鳴動させている際に特定の相手先と異なる相手先からの着信があると着信拒否しているので、携帯電話のユーザが、緊急事態の際に間違い電話や必要でない相手先（例えば全く面識のない相手先や余り交流のない相手先）からの着信に応答したり、このような相手先からの報知が行われている為に本当に着信の必要な相手先（例えば両親や警察等）からの着信が妨害されるといったことを回避することが可能である。
【００１６】
本発明の第３の局面によれば、警告音を鳴動させている際に特定の相手先からの着信は応答できるようにしているので、発呼側は携帯電話ユーザがどのような状態であるかを直ちに確認できるだけでなく、携帯電話のユーザは、本当に連絡が必要な相手先からの着信に対しては直ちに応答することが可能である。
【００１７】
本発明の第４の局面によれば、警告音を鳴動させている際に特定の相手先と異なる相手先からの着信があると着信報知しないようにしているので、携帯電話のユーザが、緊急事態の際に間違い電話や必要でない相手先（例えば全く面識のない相手先や余り交流のない相手先）からの着信に応答するといったことを回避することが可能である。
【００１８】
本発明の第５の局面によれば、警告音を鳴動させている際に特定の相手先と異なる相手先からの着信があると着信拒否しているので、携帯電話のユーザが、緊急事態の際に間違い電話や必要でない相手先（例えば全く面識のない相手先や余り交流のない相手先）からの着信に応答したり、このような相手先からの報知が行われている為に本当に着信の必要な相手先（例えば両親や警察等）からの着信が妨害されるといったことを回避することが可能である。
【００１９】
本発明の第６の局面によれば、警告音を鳴動させている際に特定の相手先からの着信は応答できるようにしているので、発呼側は携帯電話ユーザがどのような状態であるかを直ちに確認できるだけでなく、携帯電話のユーザは、本当に連絡が必要な相手先からの着信に対しては直ちに応答することが可能である。
【００２０】
本発明の第７の局面によれば、ユーザが所定の操作を行うと自動的に警告音を出力すると共に現在位置情報を算出して、算出した現在位置情報を所定の相手先に送信する為、簡単な操作で防犯ブザーを鳴動させることにより犯人を威嚇させるという機能と現在位置を所定の相手先に通報するという機能を自動的に実行させることができ、犯罪回避や犯人逮捕をより確実にすることができる。
【図面の簡単な説明】
【００２１】
【図１】本発明の一実施形態に係る携帯電話装置の斜視図である。
【図２】本発明の一実施形態に係る携帯電話装置のブロック図である。
【図３】本発明の一実施形態に係る携帯電話装置の動作を示すフローチャートである。
【発明を実施するための形態】
【００２２】
次に、本発明の一実施形態に係る携帯電話装置について、図面を参照して説明する。
【００２３】
図１は、本実施例装置の斜視図である。図１において、携帯電話装置１０は、ディスプレイ４２を有する第１の筐体と、テンキー４８を有する第２の筐体とがヒンジ部を介して開閉可能に接続されている。
【００２４】
図２は、本実施例装置のブロック図を示している。図２に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００２５】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。尚、この通信部１２やＣＤＭＡ処理回路１８は電子メールの送受信機能も備えている。
【００２６】
また、ベースバンド部１４には、切替回路２２が接続されている。この切替回路２２に
は、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２７】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２８】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動や警告音の鳴動も行う。
切替回路２２は、ベースバンド部１４との接続を、第１スピーカ２６用の増幅回路２４とマイクロホン３０用の増幅回路２８側にするか、あるいは第２スピーカ３４用の増幅回路３２とマイクロホン３０用の増幅回路２８側にするかを切り替える。
【００２９】
また、携帯電話装置１０は、ＧＰＳアンテナ５６と接続されたＧＰＳ通信部５８を備えている。ＧＰＳ通信部５８では、ＧＰＳアンテナ５６がとらえた現在位置情報に関する電波（ＧＰＳデータ）を電気信号に変換処理して制御回路３６に出力する。この制御回路３６では、ＧＰＳデータに基づいて携帯電話装置１０の現在位置情報が算出される。なお、制御回路３６に出力された携帯電話装置１０の現在位置情報は、ＲＡＭ４０に記憶される。
【００３０】
また、通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
【００３１】
このＲＡＭ４０には、ＧＰＳ通信部５８により受信した位置情報や、特定の宛先（例えば、ユーザの両親や警察、警備会社等）のメールアドレスと電話番号とが格納されている。又、この特定の宛先の情報はユーザのキー操作によって登録可能であり、複数件格納可能である。
【００３２】
制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、電源キー６４と、を有している。また、制御回路３６には、ディスプレイ４２のバックライトである照明部４６が接続されている。
【００３３】
次に本実施携帯に係る携帯電話装置１０の動作について説明する。
【００３４】
図３は本実施例装置の動作を示すフロー図である。
【００３５】
図３を用いて以下に本実施例装置の動作を説明する。先ずＳ１ステップでは、制御回路３６は、テンキー４８の＊キー４９が押下されたと判定すると、Ｓ２ステップへ処理を進
める。
【００３６】
Ｓ２ステップでは、制御回路３６は、第２スピーカ（以下ブザーと称す）３４から所定の警告音（例えば、「ブー」という音や、「誰か助けて」という音声等）を鳴動させる。尚、この警告音は例えば８０デシベル〜１００デシベルといった大音量で鳴動される。
【００３７】
続くＳ３ステップでは、制御回路３６は、ＧＰＳ通信部５８を制御することにより、ＧＰＳ情報を受信し現在位置を算出し、算出した現在位置をＲＡＭ４０に記憶させ、Ｓ４ステップへ処理を進める。
【００３８】
Ｓ４ステップでは、制御回路３６は、通信部１２を制御することにより、ＲＡＭ４０に格納された位置情報を電子メールに添付しＲＡＭ４０に格納されている所定の宛先（例えば、両親や警察等）へ送信させる。尚、この時、警察や両親といった複数の相手先に同時に電子メールを送信しても良いし、１件の相手先に送信しても良い。
【００３９】
このように、Ｓ１〜Ｓ４ステップでは、ユーザが＊キー４９を押下すると、携帯電話装置が自動的に位置情報を算出し、算出した位置情報は、ＲＡＭ４０に予め格納された所定の宛先へ自動的に送信される。この為、ユーザが＊キー４９を押下するという簡単な操作を行うだけで、自動的に警告音がブザー３４から鳴動されるだけでなく、現在の位置情報を所定の宛先へ報知することが可能である。尚、本実施例では、＊キー４９の押下でブザー３４が鳴動する構成としたが、通話キー５０や電源キー６４を押下するとブザー３４が鳴動するというふうに、他のキー操作に応じてブザー３４が鳴動する構成としても良い。或いは、携帯電話のストラップを引っ張った際や、筐体を開閉した際にブザー３４を鳴動する構成としても良い。
【００４０】
次に、Ｓ５ステップでは、制御回路３６は、着信があると判定すると、Ｓ８ステップへ処理を進め、そうでなければ、Ｓ６ステップへ処理を進める。尚、このＳ５ステップにおいて、制御回路３６は、通信部１２を介して発呼側の電話番号データを受信し、制御回路３６内部に搭載されたバッファメモリ（図示せず）に一時的に格納する。
【００４１】
Ｓ６ステップでは、制御回路３６は、入力部４４から鳴動停止操作があると判定すると、Ｓ７ステップへ処理を進め、そうでなければ、Ｓ５ステップへ処理を戻す。
【００４２】
Ｓ７ステップでは、制御回路３６は、ブザー３４からの警告音の鳴動を停止させ、Ｓ１ステップへ処理を戻す。
【００４３】
尚、Ｓ６ステップにおける鳴動停止操作は、例えば電源キーの長押しや所定の手順のキー操作でも良いし、暗証番号の入力であっても良いし、携帯電話装置に搭載されている二次電池を取り外したタイミングであっても良い。
【００４４】
Ｓ８ステップでは、制御回路３６は、Ｓ５ステップで着信のあった相手先の電話番号（より具体的には、前記Ｓ５ステップでバッファメモリ（図示せず）に格納された電話番号）と、ＲＡＭ４０に格納されている電話番号とを対比させ、一致すると判定するとＳ１０ステップへ処理を進め、そうでなければ、Ｓ９ステップへ処理を進める。
【００４５】
Ｓ９ステップでは、制御回路３６は、着信音の鳴動を禁止させると共にブザー３４からの警告音の鳴動を維持させ、Ｓ５ステップへ処理を進める。尚、Ｓ９ステップにおいて、通信部１２は着信信号を受信しているが、ディスプレイ４２には着信であることが表示されず、又、通話キー５０が押下されてもこの着信には応答できない構成となっている。これは、ブザー３４が鳴動しているといった緊急事態の際に、両親や警察といった重要な相
手先からの着信を最優先させる為である。
【００４６】
又、Ｓ９ステップにおいて、発呼してきた相手先に対して、着信があるとただちに所定のメッセージ（例えば、「緊急事態が発生しております。電話に出られません」や、「現在通話ができません」）を送信させる構成としたり、着信があると直ちに回線を切断する構成にし、着信拒否する構成としても良い。更に、この所定のメッセージを通信事業者のサーバから発呼側に自動的に送る構成としても良いし、所定の相手先以外の着呼に関しては、基地局から携帯電話装置に着信信号を送信させないよう、通信事業者側で制御する構成としても良い。この場合、ＲＡＭ４０に格納されている所定の相手先のデータは、通信事業者のサーバに格納される。
【００４７】
Ｓ１０ステップでは、制御回路３６は、ブザー３４からの警告音の鳴動を停止させ、その代わりに着信音を鳴動させる。尚、この時ブザー３４から鳴動される着信音は最大音量で送出される。
【００４８】
続くＳ１１ステップでは、制御回路３６は、オフフック操作があったと判定すると、Ｓ１３ステップへ処理を進め、そうでなければ、Ｓ１２ステップへ処理を進める。
【００４９】
尚、このオフフック操作（回線を接続する操作）は、所定のキー操作であっても良いし、筐体を開閉するとオフフックになる構成でも良い。
【００５０】
Ｓ１２ステップでは、制御回路３６は、通信部１２から着信信号の到来が途絶えたことを示す信号を検出すると、着信が終了したと判定してＳ１５ステップへ処理を進め、そうでなければ、Ｓ１０ステップへ処理を戻す。
【００５１】
Ｓ１３ステップでは、制御回路３６は、通信部１２とベースバンド部１４を制御することにより、通話を開始させ、Ｓ１４ステップへ処理を進める。
【００５２】
Ｓ１４ステップでは、制御回路３６は、通信部１２から着信信号の到来が途絶えたことを示す信号を検出するか、通話終了の操作があると判定すると、Ｓ１５ステップへ処理を進め、そうでなければ、Ｓ１３ステップへ処理を戻す。尚、通話終了の操作は、所定のキー操作であっても良いし、筐体の開閉であっても良い。
【００５３】
Ｓ１５ステップでは、制御回路３６は、ブザー３４を制御することにより、警告音の鳴動を再開させ、Ｓ５ステップへ処理を戻す。
【００５４】
尚、Ｓ１１ステップでオフフック操作があると、Ｓ１３ステップで通話が開始される構成としているが、オフフック操作があると自動的に拡声受話状態になり、ユーザが携帯電話装置を顔に近づけなくとも会話ができるようにする構成としても良い。この場合、発呼側からの音声はブザー３４から出力され、携帯電話装置のユーザが発する音声はマイク３０から入力される。このような構成とすることにより、ユーザが例えば犯人ともみあっており携帯電話装置を持ちながら通話ができない状況でも、発呼側と容易に通話ができるだけでなく、拡声受話状態であるので、発呼側からの音声（例えば、現在警察が犯行現場に向かっていること等）を犯人に聞かせ、犯罪実行をあきらめさせることが可能である。
【００５５】
又、着信音の鳴動回数が所定回数になったら或いは着信後所定時間が経過すると自動的に拡声受話状態になる構成としても良い。このような構成とするのは、ユーザが例えば犯人ともみあっており携帯電話装置を操作できない状況である時に、自動的に拡声受話状態にさせ、発呼側に現在の状況を連絡したり、「助けて」といったことを聞かせる為であり、こうすることにより、発呼側が携帯電話のユーザが危機的な状況にあることや、現在の
状態を確認できる。尚、この時の会話を自動的に録音する、即ち、オフフック後に自動的に会話を録音する構成としても良い。このような構成とすることにより、犯行後どういった状況であったかを警察が捜索する際の資料として使うことが可能である。
【００５６】
本実施例装置では、ユーザが所定の操作を行うと自動的に警告音をブザー３４から出力すると共に現在位置情報を算出して、算出した現在位置情報を自動的に電子メールに添付し予め登録された相手先に送信する為、１つのキー操作で防犯ブザーを鳴動させることにより犯人を威嚇させるという機能と現在位置を所定の相手先に通報するという機能を自動的に実行させることができ、犯罪回避や犯人逮捕をより確実にすることができる。
【００５７】
又、警告音を出力させている際に、所定の相手先以外の着信は受け付けないようにしている為、緊急事態の際には本当に必要な相手先からの着信のみを最優先に着信することが可能である。
【符号の説明】
【００５８】
１０  携帯電話装置
１２  通信部
３４  第２スピーカ（ブザー）
３６  制御回路
４０  ＲＡＭ
４４  入力部
５８  ＧＰＳ通信部
【図１】
2010288309.tif 000003
【図２】
2010288309.tif 000004
【図３】
2010288309.tif 000005